(57)【特許請求の範囲】
【請求項１】
主回路の漏洩電流を検出する零相変流器と、該零相変流器の検出電流に基づいて漏電を検出し外部に警報信号を出力する漏電検出回路を備えた漏電警報機能付き配線用遮断器において、単相３線式電路の中性線欠相による異常電圧を検出する異常電圧検出回路と、該異常電圧検出回路の出力により駆動する引き外し装置と、欠相を表示する欠相表示ボタンと、中性線欠相保護機能の動作確認のための欠相テスト回路とを欠相保護ユニットとしてユニット構成し、中性線欠相保護機能を付加する場合に前記欠相保護ユニットを遮断器本体に組み込み、前記欠相保護ユニットの電源を前記漏電検出回路の電源回路から供給されるようにしたことを特徴とする漏電警報機能付き配線用遮断器。
【発明の詳細な説明】
【０００１】
【発明の属する技術分野】
本発明は、主回路の漏電を検出して外部に警報信号を出力する機能を備えた漏電警報機能付き配線用遮断器に単相３線式電路の中性線欠相を検出して主回路を遮断する機能を付加するための構造に関する。
【０００２】
【従来の技術】
従来、漏電警報機能付き配線用遮断器３１は図６に示すように、主回路Ｒ、Ｓ、Ｔの漏洩電流を検出する零相変流器３２と、零相変流器３２の検出電流に基づいて漏電を検出し外部に警報信号を出力する漏電検出回路３３及びこの漏電検出回路３３に電源を供給する電源回路３４を実装したプリント基板３５を備えている。この漏電警報機能付き配線用遮断器３１に中性線欠相保護機能を付加するには図７〜図９に示すようにプリント基板３５を、漏電検出回路３３と、電源回路３４と、単相３線式電路の中性線欠相による異常電圧を検出する異常電圧検出回路３６とを実装したプリント基板３７に取り替え、更に異常電圧検出回路３６の出力により励磁されるトリップコイル３８及びこのトリップコイル３８の励磁により動作し主回路Ｒ，Ｓ，Ｔの開閉装置３９を駆動するプランジャー４０から成る引き外し装置４１と、欠相により主回路Ｒ，Ｓ，Ｔを遮断した際に遮断器本体４２から突出して欠相を表示する欠相表示ボタン４３と、中性線欠相保護機能の動作確認のための欠相テスト回路４４とを遮断器本体４２に組み込まなければならなかった。プリント基板３７と引き外し装置４１や欠相テスト回路４４等を接続するリード線４５はハンダ付けにより固定していた。
【０００３】
【発明が解決しようとする課題】
上記従来の漏電警報機能付き配線用遮断器は、欠相保護機能の有無により、二種類のプリント基板を用意しなければならず、プリント基板３７と引き外し装置４１が個別に形成されているために組み立て作業性が悪く、在庫管理が煩雑になっていた。また、漏電検出回路３３と電源回路３４と異常電圧検出回路３６とを一つのプリント基板３７に実装するため、プリント基板３７を構成する各種部品やパターンの配置に余裕がなく、また、漏電検出回路３３或いは異常電圧検出回路３６の何れか一方が故障した場合でもプリント基板３７を丸ごと交換しなければならず、また、中性線欠相保護機能を構成する部品だけを遮断器本体４２から取り出して性能検査をすることができなかった。
【０００４】
【課題を解決するための手段】
上記従来の漏電警報機能付き配線用遮断器の問題点に鑑み、本発明の目的は、漏電警報機能付き配線用遮断器のプリント基板を交換することなく中性線欠相保護機能を容易に組み込むことができ、在庫管理が楽になり、プリント基板を構成する各種部品やパターンの配置に余裕ができ、部品の交換が安価にでき、中性線欠相保護機能を単体で性能検査することができる漏電警報機能付き配線用遮断器を提供するもので、その構造は、主回路の漏洩電流を検出する零相変流器と、零相変流器の検出電流に基づいて漏電を検出し外部に警報信号を出力する漏電検出回路を備えた漏電警報機能付き配線用遮断器において、単相３線式電路の中性線欠相による異常電圧を検出する異常電圧検出回路と、異常電圧検出回路の出力により駆動する引き外し装置と、欠相を表示する欠相表示ボタンと、中性線欠相保護機能の動作確認のための欠相テスト回路とを欠相保護ユニットとしてユニット構成し、中性線欠相保護機能を付加する場合に欠相保護ユニットを遮断器本体に組み込み、欠相保護ユニットの電源を漏電検出回路の電源回路から供給されるようにしたことである。
【０００５】
【発明の実施の形態】
請求項１に記載の漏電警報機能付き配線用遮断器によれば、主回路の漏洩電流を検出する零相変流器と、零相変流器の検出電流に基づいて漏電を検出し外部に警報信号を出力する漏電検出回路を備えた漏電警報機能付き配線用遮断器において、単相３線式電路の中性線欠相による異常電圧を検出する異常電圧検出回路と、異常電圧検出回路の出力により駆動する引き外し装置と、欠相を表示する欠相表示ボタンと、中性線欠相保護機能の動作確認のための欠相テスト回路とを欠相保護ユニットとしてユニット構成し、中性線欠相保護機能を付加する場合に欠相保護ユニットを遮断器本体に組み込み、欠相保護ユニットの電源を漏電検出回路の電源回路から供給されるようにしたことにより、漏電警報機能付き配線用遮断器のプリント基板を交換することなく中性線欠相保護機能を容易に組み込むことができ、在庫管理が楽になり、プリント基板を構成する各種部品やパターンの配置に余裕ができ、部品の交換が安価にでき、欠相保護ユニットの単体で性能検査をすることができる。また、組み立て作業性が向上し、且つ部品点数を削減することができる。
【０００６】
【実施例】
本発明に係る漏電警報機能付き配線用遮断器の一実施例を図１〜図５の添付図面に基づいて説明する。
【０００７】
漏電警報機能付き配線用遮断器１は、主回路Ｒ，Ｓ，Ｔの漏洩電流を検出する零相変流器２と、零相変流器２の検出電流に基づいて漏電を検出しアラームや表示ランプ等により漏電を警告したり、出力線３により外部に警報信号を出力する漏電検出回路４及びこの漏電検出回路４に電源を供給する電源回路５を実装した第１のプリント基板６を備えており、この漏電警報機能付き配線用遮断器１に中性線欠相保護機能を付加する場合には遮断器本体７に欠相保護ユニット８が組み込まれる。
【０００８】
欠相保護ユニット８は、単相３線式電路の中性線欠相による異常電圧を検出する異常電圧検出回路９を実装した第２のプリント基板１０と、異常電圧検出回路９の出力により励磁されるトリップコイル１１及びこのトリップコイル１１の励磁により動作し主回路Ｒ，Ｓ，Ｔの開閉装置１２を駆動するプランジャー１３から成る引き外し装置１４と、欠相により主回路Ｒ，Ｓ，Ｔを遮断した際に遮断器本体７から突出して欠相を表示する欠相表示ボタン１５と、中性線欠相保護機能の動作確認のための欠相テスト回路１６とでユニット構成され、第２のプリント基板１０はトリップコイル１１を保持するボビン１７の側面に固定され、プランジャー１３の動作に連動する欠相表示ボタン１５と、欠相テスト回路１６を構成するスイッチ１８と、このスイッチ１８を押圧するためのテストボタン１９はボビン１７の上面に配設されている。
【０００９】
欠相保護ユニット８は、各回路やトリップコイル１１に電源を供給するためにリード線２０が接続され、リード線２０の先端は円筒状のコンタクト端子２１が設けられている。第１のプリント基板６の電源回路５にはピン２２が突設され、コンタクト端子２１が容易に接続できる。欠相保護ユニット８は電源回路５から供給される整流された電源により異常電圧検出回路９や欠相テスト回路１６やトリップコイル１１を駆動する。漏電警報機能付き配線用遮断器１は、この欠相保護ユニット８を遮断器本体７に組み込み、リード線２０を第１のプリント基板６に接続するだけで簡単に中性線欠相保護機能が付加される。電源回路５を漏電検出回路４と共用化することにより第２のプリント基板１０の部品点数を削減し、欠相保護ユニット８の取り付け作業性を向上することができる。
【００１０】
欠相保護ユニット８の動作について説明する。遮断器本体７の外部の負荷側の中性線Ｓに接続したリード線２３と電源回路５に接続したリード線２０の電圧を異常電圧検出回路９により監視し、異常電圧を検出すると異常電圧検出回路９からの出力によりトリップコイル１１を励磁し、トリップコイル１１の励磁によりプランジャー１３がトリップコイル１１内に吸引される。プランジャー１３は主回路Ｒ，Ｓ，Ｔの開閉装置１２を駆動し主回路Ｒ，Ｓ，Ｔを遮断するとともに、バネ力により上方に付勢された欠相表示ボタン１５との係合を解除し、欠相表示ボタン１５が遮断器本体７から突出して欠相を表示する。
【００１１】
欠相テスト回路１６はテスト抵抗２４とスイッチ１８とテストボタン１９から成り、遮断器本体７から突出したテストボタン１９を押すと、スイッチ１８がオンし、欠相テスト回路１６に疑似異常電圧が印加されテストを行う。欠相保護ユニット８は整流した電源を供給するだけで遮断器本体７に組み込む前に単体の性能検査をすることができる。
【００１２】
尚、本実施例において欠相保護ユニットのリード線と第１のプリント基板との接続は、コンタクト端子とピンにより行ったが、ハンダ付け等の接続方法でも何ら問題ない。
【００１３】
また、欠相保護ユニットの各部品の配置位置について限定はなく、適宜変更可能である。
【００１４】
【発明の効果】
以上のように本発明に係る漏電警報機能付き配線用遮断器は、主回路の漏洩電流を検出する零相変流器と、零相変流器の検出電流に基づいて漏電を検出し外部に警報信号を出力する漏電検出回路を備えた漏電警報機能付き配線用遮断器において、単相３線式電路の中性線欠相による異常電圧を検出する異常電圧検出回路と、異常電圧検出回路の出力により駆動する引き外し装置と、欠相を表示する欠相表示ボタンと、中性線欠相保護機能の動作確認のための欠相テスト回路とを欠相保護ユニットとしてユニット構成し、中性線欠相保護機能を付加する場合に欠相保護ユニットを遮断器本体に組み込み、欠相保護ユニットの電源を漏電検出回路の電源回路から供給されるようにしたことにより、漏電警報機能付き配線用遮断器に中性線欠相保護機能を付加する場合にプリント基板を交換することなく中性線欠相保護機能を容易に組み込むことができ、交換するプリント基板がないので在庫管理が楽になり、漏電検出回路と異常電圧検出回路を２つのプリント基板に分けたのでプリント基板を構成する各種部品やパターンの配置に余裕ができ、漏電検出回路或いは異常電圧検出回路の何れか一方が故障した場合でも故障したプリント基板を交換するだけなので経済的であり、中性線欠相保護機能を構成する部品だけを遮断器本体から取り出して性能検査することができるという優れた効果がある。また、組み立て作業性が向上し、且つ部品点数を削減することができるという優れた効果がある。
【図面の簡単な説明】
【図１】  本発明に係る漏電警報機能付き配線用遮断器を示す正面図である。
【図２】  本発明に係る漏電警報機能付き配線用遮断器のブロック図である。
【図３】  本発明に係る欠相保護ユニットを示す正面図である。
【図４】  本発明に係る欠相保護ユニットを示す側面図である。
【図５】  本発明に係る第１のプリント基板を示す正面図である。
【図６】  従来の漏電警報機能付き配線用遮断器のブロック図である。
【図７】  従来の漏電警報機能付き配線用遮断器を示す正面図である。
【図８】  従来の漏電警報機能付き配線用遮断器に中性線欠相保護機能を付加したブロック図である。
【図９】  従来の引き外し装置と第１のプリント基板を示す斜視図である。
【符号の説明】
１      漏電警報機能付き配線用遮断器
７      遮断器本体
８      欠相保護ユニット
９      異常電圧検出回路
１０    第２のプリント基板
１１    トリップコイル
１３    プランジャー
１４    引き外し装置
１５    欠相表示ボタン
１６    欠相テスト回路
１７    ボビン
１８    スイッチ
１９    テストボタン
２０    リード線
２１    コンタクト端子
２２    ピン
２３    リード線
２４    テスト抵抗
【図１】
0004620240.tif 000002
【図２】
0004620240.tif 000003
【図３】
0004620240.tif 000004
【図４】
0004620240.tif 000005
【図５】
0004620240.tif 000006
【図６】
0004620240.tif 000007
【図７】
0004620240.tif 000008
【図８】
0004620240.tif 000009
【図９】
0004620240.tif 000010